(57)【特許請求の範囲】
【請求項１】
測定対象である眼鏡レンズが載置されるノーズピースを筐体の前方に備えていると共に、略鉛直な案内面を前面に有するレンズテーブルを該筐体から該ノーズピースに向かって突出／引込方向に移動可能に備えており、該眼鏡レンズが装着された眼鏡の上縁部または下縁部を該レンズテーブルの該案内面に当接させて位置決めした状態下で、該眼鏡レンズを該ノーズピースの上に載置して、該ノーズピースを通じて測定用光束を該眼鏡レンズに透過させることにより該眼鏡レンズのレンズ度数等を測定するようにしたレンズメーターにおいて、
前記レンズテーブルの下方に配設されて該レンズテーブルに沿って左右方向で前記ノーズピースを越えて直線的に移動可能とされたスライドアームと、該スライドアームの該レンズテーブル上での移動距離を測定するための測定手段を設けると共に、該スライドアームの前方端部にノーズブロックを装着し、該ノーズブロックが該スライドアームから前方に向かって突出する突出位置に保持されるようにして、該突出位置に保持された該ノーズブロックの下方から眼鏡をあてがうことにより該ノーズブロックが該眼鏡の鼻当て付近に上方から嵌まり合って左右方向で係合せしめられると共に、該眼鏡の持ち上げ方向への変位が該ノーズブロックの該突出位置から上方に向かう回動作動を伴って許容されて該ノーズブロックの上方への回動変位により該ノーズピースを上方に回避して当接することなく左右方向への移動が許容されるようにする一方、該ノーズブロックの下方から該眼鏡を取り除いた状態で突出位置に保持された該ノーズブロックに対して外力を及ぼすことにより該ノーズブロックを強制的に下方に回動せしめて該スライドアームの前方端部から下方に向かって垂れ下がった垂下位置に導いて保持せしめることが出来るようにしたことを特徴とするレンズメーター。
【請求項２】
前記ノーズブロックを前記突出位置となる下方に向かって付勢する付勢手段を設けた請求項１に記載のレンズメーター。
【請求項３】
前記ノーズブロックが前記突出位置に保持された際に、該ノーズブロックが、水平面よりも所定量だけ斜め上方に向かって傾斜して前方に突出するようになっている請求項１又は２に記載のレンズメーター。
【請求項４】
前記筐体の前壁面において、前記レンズテーブルを、その引込位置において収容するための収容凹部が形成されており、該収容凹部に該レンズテーブルが収容位置せしめられた状態下で、前記ノーズブロックが前記垂下位置において該収容凹部の開口部の下方に位置して前記筐体の前壁面に略沿うようにして垂れ下がって位置せしめられるようになっている請求項１乃至３の何れかに記載のレンズメーター。
【請求項５】
前記回動アームを前記突出位置から上方に向かって回動させて立上位置とすることにより、該ノーズブロックが前記レンズテーブルの前記案内面に略沿って位置せしめられるようにすると共に、該ノーズブロックを該レンズテーブルに対して係止して該立上位置に保持せしめるロック機構を設けた請求項１乃至４の何れかに記載のレンズメーター。
【請求項６】
前記スライドアームの前方端部に対して、該スライドアームの移動方向に延びる第一の回動軸回りで回動可能に回動アームを装着せしめて、該回動アームが該第一の回動軸回りで上側回動位置と下側回動位置とにそれぞれ位置決め保持されるようにすると共に、該回動アームの先端部分に対して、該第一の回動軸と平行な第二の回動軸回りで回動可能に前記ノーズブロックを装着し、該回動アームを該上側回動位置に保持せしめた状態下で該ノーズブロックが前記突出位置から上方に向かって該第二の回動軸回りで回動変位せしめられるようにする一方、該回動アームを該下側回動位置まで回動させることによって、突出位置とされていた該ノーズブロックが前記垂下位置に導かれるようにした請求項１乃至５の何れかに記載のレンズメーター。
【請求項７】
前記第一の回動軸および前記第二の回動軸が、何れも、前記レンズテーブルの前記案内面と略同じかそれより前方に位置せしめられている請求項６に記載のレンズメーター。
【請求項８】
前記スライドアームの前方端部に対して、該スライドアームの移動方向に延びる直接支軸軸回りで回動可能に前記ノーズブロックを装着すると共に、該直接支持軸回りでの該ノーズブロックの回動抵抗を所定角度範囲で異ならせることにより、該ノーズブロックが前記突出位置に保持されてそこから上方に向かって立ち上がる方向には小摩擦抵抗で容易に回動変位せしめられるようにする一方、該ノーズブロックが該突出位置から下方に垂れ下がる方向には大摩擦抵抗で回動変位せしめられ難くして、該突出位置に保持された該ノーズブロックに外力を及ぼして強制的に下方に回動させることによって該ノーズブロックを前記垂下位置に導くことが出来るようにした請求項１乃至５の何れかに記載のレンズメーター。
【請求項９】
前記スライドアームと前記ノーズブロックの一方において、前記直接支持軸回りで周方向に延びる円弧状の摩擦面を形成すると共に、それらスライドアームとノーズブロックの他方において、該直接支持軸回りの該ノーズブロックの回動に際して該摩擦面に摺接する摺接面を形成し、該摩擦面の該直接支持軸回りにおける曲率半径を周方向の所定角度範囲で異ならせて、該摩擦面に対する該摺接面の摺動抵抗を、該ノーズブロックの該直接支持軸回りの回動位置に応じて異ならせた請求項８に記載のレンズメーター。
【請求項１０】
前記直接支持軸が、前記レンズテーブルの前記案内面と略同じか前方に位置せしめられている請求項８又は９に記載のレンズメーター。
【発明の詳細な説明】
【技術分野】
【０００１】
本発明は、眼鏡に枠入れされた眼鏡レンズのレンズ度数や左右レンズの光軸間の距離（ＰＤ値とも言う）を測定することの出来るレンズメーターに関するものである。
【背景技術】
【０００２】
従来から、測定用光束を眼鏡レンズに透過させてレンズ度数等の光学特性を測定するレンズメーターの一種として、眼鏡に枠入れされた左右レンズの光軸間の距離を測定出来るようにしたものが、提案されている。例えば、特許文献１（特開平８−２７１３７８号公報）や特許文献２（特許第３１９５６５４号公報），特許文献３（特許第３４３４９４１号公報）に開示されているものが、それである。
【０００３】
このようなレンズメーターは、一般に、ボックス状の筐体の前方に位置して測定用光束の出光口乃至は入光口となる口部を上方に向けたノーズピースが設けられており、このノーズピース上に被検レンズを載置せしめて測定用光束を透過させることによって光学特性を測定するようになっている。また、略鉛直な案内面を備えたレンズテーブルが、筐体の前面からノーズピースに向かって突出／引込方向で移動可能に装着されており、測定時には、眼鏡レンズが装着された眼鏡フレームの上縁部または下縁部をレンズテーブルの案内面に当接させて位置決めすることが出来るようになっている。更に、レンズテーブルに沿って左右方向に移動可能なノーズブロックが設けられていると共に、かかるノーズブロックの左右方向への移動距離を測定する機構が設けられており、ノーズブロックを眼鏡の鼻当てに係合させた状態で、左右何れか一方の眼鏡レンズの光軸をノーズピース上に位置せしめた状態から眼鏡を移動させて左右他方の眼鏡レンズの光軸をノーズピース上に位置せしめた際の眼鏡の左右方向への移動距離を測定することによってＰＤ値を計測することが出来るようになっている。
【０００４】
ところで、ノーズブロックは、ＰＤ値の測定に際してレンズテーブルに沿って左右に移動せしめられる眼鏡フレームに対して係合状態が容易に維持されて眼鏡フレームと共に移動せしめられるようにする必要があることに加えて、下方から突出せしめられたノーズピースへの干渉を回避しつつ該ノーズピースを越えて左右に移動せしめられるようにすることが必要となる。
【０００５】
そこで、特許文献１〜３には、レンズテーブルの上端縁部付近に設けた支持軸回りでノーズブロックを回動可能に吊り下げ支持せしめると共に、ノーズブロックに対して回動方向の付勢力を及ぼす付勢手段を設けて、かかるノーズブロックが、下方への垂れ下がり位置から略９０度上方に回動して前方に向かって突出する突き出し位置に弾性的に保持せしめられるようにした構造が提案されている。即ち、このような構造のノーズブロックにおいては、眼鏡の鼻当てを上方から重ね合わせることによって係合させることが可能であり、更に眼鏡フレームを下方に押し付けることにより、ノーズブロックの突き出し位置から下方への弾性的な回動作動に基づいて眼鏡フレームの下方への変位が許容されて、眼鏡レンズをノーズパッドに載置せしめることが出来るのである。一方、ＰＤ値の計測に際して眼鏡フレームを左右に移動させる際には、眼鏡フレームを持ち上げることによりノーズブロックも付勢力によって鼻パッドへの係合を維持しつつ上方に回動せしめられて突き出し状態とされることから、ノーズブロックを上方に避けてノーズパッドを移動させることが出来るのである。
【０００６】
なお、特許文献２には、ＰＤ値の測定時におけるノーズブロックの左右方向への変位に際して、カム機構やラック・ピニオン機構等を採用して、ノーズピースを下方に逃げるように変位させるメカニズム的な回避機構も開示されているが、このような回避機構は構造が複雑であると共に、測定用光束の光路を形成するノーズピースを変位させることによって光学精度の低下のおそれもあることから、現実的ではない。
【０００７】
ところで、ノーズブロックは、ＰＤ値の測定に際して必要とされるものであって、例えば被検レンズのレンズ度数だけを測定する場合等では不要であって、測定作業の邪魔になり易い。なお、ノーズブロックを、その不使用時には、レンズテーブル上において左右方向で最も外方に位置せしめることも考えられるが、一般にレンズテーブルは左右にそれ程長尺でなく、ノーズブロックが前方に突出していると、ノーズブロックをレンズテーブル上で最外方に位置せしめたとしても、レンズ度数等の測定作業に支障が生じ易い。そこで、ノーズブロックの不使用時には、かかるノーズブロックを測定作業の邪魔にならない位置に退避可能とすることが、要求されている。
【０００８】
かかる要求に対処するために、例えば特許文献１では、永久磁石の磁力を利用して付勢力に抗し、ノーズブロックをレンズテーブル前面に沿って下方に垂れ下がった状態に対置位置せしめるようにした構造が提案されている。また、特許文献３では、レンズテーブル前面よりも奥方に位置する第二の回動軸を設けて、この第二の回動軸回りに、前方への突出状態に付勢保持されたノーズブロックを全体として上方に跳ね上げるように回動させて、レンズテーブル前面を逃げるようにして、レンズテーブルの上面から上方に突き出す状態に退避位置せしめるようにした構造が提案されている。
【０００９】
しかしながら、前者の特許文献１に記載の構造では、レンズテーブルの前面にノーズブロック重ね合わされて位置せしめられることから、例えば、眼鏡レンズのレンズ度数等を測定するに際して、眼鏡フレームの上縁部や下縁部をレンズテーブルの前面に当接させて位置決めする作業に支障を来すという問題がある。また、後者の特許文献３に記載の構造では、ノーズピースよりも上方の空間は、もともと、測定作業のために必要とされる作業スペースなのであり、この作業スペース内にレンズテーブル上から突き出した状態でノーズブロックが保持せしめられると、測定作業に支障を来す可能性があり、測定中に手指や眼鏡が打ち当たることによってノーズブロックや眼鏡が損傷するおそれがある。即ち、眼鏡レンズのレンズ度数を測定する際、ノーズピースの上方の空間は、手指で把持した眼鏡を上方からノーズピース上に導いて載置したり、手指で把持した眼鏡を左右に移動させて左右の眼鏡レンズをノーズピース上に順次に載置させたり、更に、多焦点レンズを装着した眼鏡では、例えば特開２０００−２６６６３９号公報等に記載されているように、一つの眼鏡レンズにおける光学特性を複数位置で測定するために、手指で把持した眼鏡を前後左右に動かしたりする、各種の作業に必要な主要空間であって、特に、ノーズピースに対して下方からでなく上方から眼鏡レンズを載置させる構造である以上、必然的に、ノーズピースより上方の空間は、測定作業用に十分なスペースが確保される必要があるのである。
【００１０】
加えて、上述の特許文献１および特許文献３に記載の従来構造のノーズブロックは、何れも、上端縁部において回動可能に吊り下げられた構造であり、その上方から眼鏡の鼻当てが重ね合わされて係合されるようになっていることから、前述の如く、ＰＤ値の測定に際して、ノーズピースへの干渉を回避しつつノーズブロックを左右に移動させるためにノーズブロックをノーズピースの上端よりも更に上方にまで回動させた場合には、ノーズブロックの上に重ね合わされた眼鏡がノーズブロックよりも更に上方に位置せしめられることとなる。そのために、眼鏡をかなり上方まで持ち上げなければならず、ノーズピースの上方に配設されてノーズピース上に眼鏡レンズを押圧位置決めするための押付ピン等に対して眼鏡レンズが当接し易いことから、かかる当接によって眼鏡レンズに傷などが発生するおそれがあり、作業に際して非常な慎重さが要求されることから、必ずしも使い勝手が良いとは言えないという問題もあったのである。
【００１１】
【特許文献１】特開平８−２７１３７８号公報
【特許文献２】特許第３１９５６５４号公報
【特許文献３】特許第３４３４９４１号公報
【発明の開示】
【発明が解決しようとする課題】
【００１２】
ここにおいて、本発明は上述の如き事情を背景として為されたものであって、その解決課題とするところは、
（i ）ＰＤ値の測定に際して用いられるノーズブロックが、その不使用時においてレンズ度数等の測定作業の邪魔にならない状態に退避位置せしめられて、測定作業性の向上やノーズブロックの損傷防止等が効果的に達成され得ると共に、
（ii）ＰＤ値の測定に際して、ノーズピースを越えて左右に移動させる際にも眼鏡を上方に大きく持ち上げることが必要とされなくなって、容易に測定することが出来て眼鏡レンズの損傷も効果的に防止され得る、
新規な構造のレンズメーターを提供することにある。
【課題を解決するための手段】
【００１３】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１４】
（本発明の態様１）
本発明の態様１は、測定対象である眼鏡レンズが載置されるノーズピースを筐体の前方に備えていると共に、略鉛直な案内面を前面に有するレンズテーブルを該筐体から該ノーズピースに向かって突出／引込方向に移動可能に備えており、該眼鏡レンズが装着された眼鏡の上縁部または下縁部を該レンズテーブルの該案内面に当接させて位置決めした状態下で、該眼鏡レンズを該ノーズピースの上に載置して、該ノーズピースを通じて測定用光束を該眼鏡レンズに透過させることにより該眼鏡レンズのレンズ度数等を測定するようにしたレンズメーターにおいて、前記レンズテーブルの下方に配設されて該レンズテーブルに沿って左右方向で前記ノーズピースを越えて直線的に移動可能とされたスライドアームと、該スライドアームの該レンズテーブル上での移動距離を測定するための測定手段を設けると共に、該スライドアームの前方端部にノーズブロックを装着し、該ノーズブロックが該スライドアームから前方に向かって突出する突出位置に保持されるようにして、該突出位置に保持された該ノーズブロックの下方から眼鏡をあてがうことにより該ノーズブロックが該眼鏡の鼻当て付近に上方から嵌まり合って左右方向で係合せしめられると共に、該眼鏡の持ち上げ方向への変位が該ノーズブロックの該突出位置から上方に向かう回動作動を伴って許容されて該ノーズブロックの上方への回動変位により該ノーズピースを上方に回避して当接することなく左右方向への移動が許容されるようにする一方、該ノーズブロックの下方から該眼鏡を取り除いた状態で突出位置に保持された該ノーズブロックに対して外力を及ぼすことにより該ノーズブロックを強制的に下方に回動せしめて該スライドアームの前方端部から下方に向かって垂れ下がった垂下位置に導いて保持せしめることが出来るようにしたことを特徴とするレンズメーターを、特徴とする。
【００１５】
このような本態様に従う構造とされたレンズメーターにおいては、ＰＤ値の測定に際して、ノーズブロックの下端縁部がレンズテーブルの下端縁部付近で支持されて、上方に向かって回動可能に配設されることとなる。このように、従来構造の上端縁部で吊り下げ支持せしめたノーズブロックとは反対に、本態様ではノーズブロックが下端縁部で立ち上がり支持されていることから、眼鏡の鼻当て等をノーズブロックの下側から入り込ませて係合させることが出来るのであり、それにより、ノーズブロックより下方に眼鏡が位置せしめられることとなる。
【００１６】
それ故、ＰＤ値の測定に際してノーズブロックをノーズピースを越えて左右に移動させる場合にも、眼鏡をそれ程大きく持ち上げなくてもノーズブロックのノーズピースに対する干渉を回避することが可能となる。従って、ノーズピースの上方に押付ピン等が配設されていても、そのような部材に対する眼鏡の当接が容易に回避され得ることとなり、ＰＤ値の測定に際しての眼鏡の損傷が有利に防止され得るのである。
【００１７】
また、本態様に従う構造とされたレンズメーターにおいてノーズブロックを使用しない場合には、ノーズブロックを下方に回動させることによりノーズブロックがレンズテーブルの前面を下方に外れて、ノーズピースよりも下方の領域に退避位置せしめられることとなる。それ故、例えばレンズ度数等の測定に際して、レンズテーブルの前面を眼鏡の位置決め等のために自由に使用することが出来ると共に、ノーズピースに対して上方から導かれて載置される眼鏡や、ノーズピース上から上方に向かって取り除かれる眼鏡に対して、かかるノーズブロックが干渉したりして邪魔になることがなく、作業領域が有利に確保され得ると共に、ノーズブロックへの手指等の打ち当たりに起因する損傷も効果的に防止されるのである。
【００１８】
加えて、眼鏡レンズをノーズピース上に載置して目的とする測定位置を測定光束上に位置決めするに際しては、一般に、作業者（検者）はノーズピース上を斜め上方から覗き込んで作業することとなるが、その際、ノーズピースよりも下方に退避して位置せしめられたノーズブロックは、作業者とノーズピースとの間から完全に外れてしまうことから、作業者が上方の如何なる場所から覗き込んだとしても、その測定領域への視線がノーズブロックで遮られるようなことがなく、作業領域に存在する眼鏡レンズや眼鏡フレームに対する視認性が安定して有利に確保され得るのである。
【００１９】
（本発明の態様２）
本発明の態様２は、前記態様１に係るレンズメータにおいて、前記ノーズブロックを前記突出位置となる下方に向かって付勢する付勢手段を設けたことを、特徴とする。
【００２０】
本態様に従う構造とされたレンズメーターにおいては、ノーズブロックの下方からあてがうように重ね合わされて係合せしめられる眼鏡の鼻当て等に対する該ノーズブロックの係合状態が、付勢手段による付勢力を利用して一層有利に保持され得る。なお、付勢手段としては、例えば板ばねやコイルスプリング等が採用可能である。尤も、前記態様１に記載のレンズメータでは、このような付勢手段は必ずしも必要でなく、例えばノーズブロックが、重力の作用に基づいて立ち上げ状態から下方（突出位置側）に回動せしめられることを利用して、ノーズブロックの鼻当て等に対する係合状態が保持されるようにすることも可能である。
【００２１】
（本発明の態様３）
本発明の態様３は、前記態様１又は２に係るレンズメーターにおいて、前記ノーズブロックが前記突出位置に保持された際に、該ノーズブロックが、水平面よりも所定量だけ斜め上方に向かって傾斜して前方に突出するようになっていることを、特徴とする。
【００２２】
このような本態様に従う構造とされたレンズメーターにおいては、ＰＤ値を測定するに際して、眼鏡の鼻当て等をノーズブロックの下方に重ね合わせて係合状態とするに際して、ノーズブロックの前方から眼鏡を差し入れることが容易となって、眼鏡をノーズブロックに係合させてからＰＤ値を測定する一連の操作を一層容易に行うことが可能となる。
【００２３】
（本発明の態様４）
本発明の態様４は、前記態様１乃至３の何れかに係るレンズメーターであって、前記筐体の前壁面において、前記レンズテーブルを、その引込位置において収容するための収容凹部が形成されており、該収容凹部に該レンズテーブルが収容位置せしめられた状態下で、前記ノーズブロックが前記垂下位置において該収容凹部の開口部の下方に位置して前記筐体の前壁面に略沿うようにして垂れ下がって位置せしめられるようになっていることを、特徴とする。
【００２４】
このような本態様に従う構造とされたレンズメーターおいては、レンズテーブルを使用しない測定時や、或いはレンズメータの搬送時や収納時において、レンズテーブルを、筐体の前壁面から余り突出しない状態或いは実質的に突出しない状態に収納することが出来る。その際、ノーズブロックが収容凹部の外側に位置せしめられることから、ノーズブロックが邪魔になることなく、レンズテーブルの多くの部分、好適にはその全体を、収容凹部に対して収容させることが出来るのである。また、レンズテーブルの収容凹部への収容状態下で、ノーズブロックが筐体前壁面に沿って配設されることから、例えば上述の如きレンズテーブルを使用しない測定時や、或いはレンズメータの搬送時や収納時等において、ノーズブロックが邪魔になることがなく、その損傷等も有利に回避され得る。
【００２５】
（本発明の態様５）
本発明の態様５は、前記態様１乃至４の何れかに係るレンズメーターにおいて、前記回動アームを前記突出位置から上方に向かって回動させて立上位置とすることにより、該ノーズブロックが前記レンズテーブルの前記案内面に略沿って位置せしめられるようにすると共に、該ノーズブロックを該レンズテーブルに対して係止して該立上位置に保持せしめるロック機構を設けたことを、特徴とする。
【００２６】
このような本態様に従う構造とされたレンズメーターにおいては、例えば、レンズテーブルを使用しない測定時や、或いはレンズメータの搬送時や収納時において、ノーズブロックをレンズテーブルの前面に重ね合わせて立ち上がった状態を退避状態として保持せしめることが可能となる。従って、このようにレンズテーブルの前面に沿って立ち上がった退避状態と、上述の如きレンズテーブルの下端縁部から垂れ下がった退避状態とを、測定時の条件や検者の好み、或いは搬送時や収納時の条件等に応じて選択的に採用することが出来る。
【００２７】
（本発明の態様６）
本発明の態様６は、前記態様１乃至５の何れかに係るレンズメーターにおいて、前記スライドアームの前方端部に対して、該スライドアームの移動方向に延びる第一の回動軸回りで回動可能に回動アームを装着せしめて、該回動アームが該第一の回動軸回りで上側回動位置と下側回動位置とにそれぞれ位置決め保持されるようにすると共に、該回動アームの先端部分に対して、該第一の回動軸と平行な第二の回動軸回りで回動可能に前記ノーズブロックを装着し、該回動アームを該上側回動位置に保持せしめた状態下で該ノーズブロックが前記突出位置から上方に向かって該第二の回動軸回りで回動変位せしめられるようにする一方、該回動アームを該下側回動位置まで回動させることによって、突出位置とされていた該ノーズブロックが前記垂下位置に導かれるようにした請求項１乃至５の何れかに記載のレンズメーター。
【００２８】
本態様に従う構造とされたレンズメーターにおいては、第一の回動軸回りでの回動アームの回動作動の特性と第二の回動軸回りでのノーズブロックの回動作動の特性を各別に設定することによって、前述の如きノーズブロックの突出位置から上方への比較的に自由な回動作動と、該ノーズブロックの突出位置から垂下位置への制限的な回動作動とを、容易に且つ有利に設定することが可能となる。例えば、第一の回動軸回りでの回動アームの回動作動を摩擦力や適当な係止手段によって制限すると共に、第二の回動軸回りでのノーズブロックの回動作動が容易に許容されるようにすることにより、回動アームを上側回動位置に対して固定的に保持せしめた状態下では、ノーズブロックがＰＤ値の測定に有利に利用され得る状態が発現される一方、回動アームを下側回動位置に対して固定的に保持せしめた状態下では、ノーズブロックがそれを使用しない測定等に邪魔にならない退避位置に有利に保持され得る状態が発現されることとなる。
【００２９】
なお、本態様において、前記態様２に係る付勢手段は、第二の回動軸回りでノーズブロックを下方（突出位置）に向かって付勢する付勢手段によって構成され得る。また、本態様においては、回動アームを上側回動位置と下側回動位置とにそれぞれ位置決め保持するために、例えば回動アームの第一の回動軸回りでの摩擦抵抗を利用することも可能であるが、その他、例えば回動アームを、前記第一の回動軸回りで前記上側回動位置と前記下側回動位置との少なくとも一方の回動位置に対して節度感をもって保持せしめる節度機構が好適に採用される。かかる節度機構としては、例えば、回動アームとスライドアームの間に、凹凸等の離脱可能な係止部を設けたり、ばね手段を利用して回動アームを何れかの回動位置に対して選択的に弾性保持せしめる弾性保持機構（例えば、周知のバインダクリップにおける両操作部の弾性位置決め機構等を適用できる）を設けたりすることによって実現可能である。このように回動アームを上下の回動位置に保持せしめるための特別な手段を採用することにより、回動アームが不必要に回動してしまうことを防止することが出来ると共に、回動アームの回動位置を正確に設定することが出来るのであり、それによって、ノーズブロックを、それが利用されるＰＤ値の測定位置と、それが利用されない退避位置とに、より確実に導いて保持せしめることが出来るのである。
【００３０】
（本発明の態様７）
本発明の態様７は、前記態様６に係るレンズメーターにおいて、前記第一の回動軸および前記第二の回動軸が、何れも、前記レンズテーブルの前記案内面と略同じかそれより前方に位置せしめられていることを、特徴とする。
【００３１】
このような本態様に従う構造とされたレンズメーターにおいては、回動アームやノーズブロックの第一及び第二の回動軸回りの回動作動がレンズテーブルへの干渉による問題を伴うことなく十分に広い角度範囲に亘って有利に実現され得る。特に、本態様は、前記態様４と組み合わせて好適に採用されることとなり、それによって、レンズテーブルを収容凹部に対して略完全に収容せしめた状態下でも、ノーズブロックを筐体の前壁面に近接して沿うようにして下方に垂下させて退避位置せしめることが可能となる。
【００３２】
（本発明の態様８）
本発明の態様８は、前記態様１乃至５の何れかに係るレンズメーターにおいて、前記スライドアームの前方端部に対して、該スライドアームの移動方向に延びる直接支持軸回りで回動可能に前記ノーズブロックを装着すると共に、該直接支持軸回りでの該ノーズブロックの回動抵抗を所定角度範囲で異ならせることにより、該ノーズブロックが前記突出位置に保持されてそこから上方に向かって立ち上がる方向には小摩擦抵抗で容易に回動変位せしめられるようにする一方、該ノーズブロックが該突出位置から下方に垂れ下がる方向には大摩擦抵抗で回動変位せしめられ難くして、該突出位置に保持された該ノーズブロックに外力を及ぼして強制的に下方に回動させることによって該ノーズブロックを前記垂下位置に導くことが出来るようにしたことを、特徴とする。
【００３３】
本態様に従う構造とされたレンズメーターにおいては、単一の支持軸回りでのノーズブロックの回動機構によって、ＰＤ値の測定に際して利用可能なノーズブロックの突出状態と、ノーズブロックを使用しない状態下でのノーズブロックの退避状態とを、選択的に提供することの出来る前述の如き本発明が、簡単な構造をもって有利に実現可能となる。即ち、ノーズブロックが突出位置から上方に向かう比較的自由な回動作動に基づいて、ノーズブロックを利用しての前述の如きＰＤ値の測定が有利に実施可能とされる一方、ノーズブロックの突出位置から下方への回動が制限されていることにより、ノーズブロックを、ＰＤ値の測定に利用される突出状態と、測定に利用されない退避状態とに、それぞれ有利に位置決め保持することが出来るのである。
【００３４】
なお、本態様において、前記態様２に係る付勢手段は、直接支持軸回りでノーズブロックを下方（突出位置）に向かって付勢する付勢手段によって構成され得るが、この付勢手段は、ノーズブロックを突出位置よりも下方にまで回動させてしまわないように、かかる付勢手段による付勢力の大きさが摩擦抵抗を考慮して設定される。
【００３５】
また、本態様においては、ノーズブロックを手指で押し下げた際に、ノーズブロックが垂下位置にまで回動せしめられたことを知覚認識させたり、ノーズブロックを垂下位置に一層安定して位置決め保持せしめること等を目的として、例えば、ノーズブロックを垂下位置に係止させて位置決めする凹凸係止機構をスライドアームとノーズブロックの間に設けたり、或いは、ノーズブロックの直接支持軸回りでの回動摩擦抵抗を垂下位置においてだけ小さくすることなどによって節度機構を付与するようにしても良い。
【００３６】
（本発明の態様９）
本発明の態様９は、前記態様８に係るレンズメーターであって、前記スライドアームと前記ノーズブロックの一方において、前記直接支持軸回りで周方向に延びる円弧状の摩擦面を形成すると共に、それらスライドアームとノーズブロックの他方において、該直接支持軸回りの該ノーズブロックの回動に際して該摩擦面に摺接する摺接面を形成し、該摩擦面の該直接支持軸回りにおける曲率半径を周方向の所定角度範囲で異ならせて、該摩擦面に対する該摺接面の摺動抵抗を、該ノーズブロックの該直接支持軸回りの回動位置に応じて異ならせたことを、特徴とする。
【００３７】
このような本態様においては、スライドアームの突出位置から上方への小摩擦抵抗下での回動作動と、突出位置から下方への大摩擦抵抗下での回動作動とが、何れも、連続して周方向に延びる一つの摩擦面によって、簡単な構造で優に実現され得るのであり、構造の更なる簡略化が達成され得る。なお、本態様において、好ましくは、ノーズブロックの一軸回りの回動に際して互いに摺接して摩擦抵抗を生ずる摩擦面と摺接面が、直接支持軸の長手方向両端部分に位置して一対形成されることとなり、それによって、ノーズブロックの回動作動の安定化が図られ得る。
【００３８】
（本発明の態様１０）
本発明の態様１０は、前記態様８又は９に係るノーズブロックにおいて、前記直接支持軸が、前記レンズテーブルの前記案内面と略同じか前方に位置せしめられていることを、特徴とする。
【００３９】
本態様においては、ノーズブロックの直接支持軸回りでの回動作動に際して、ノーズブロックのレンズテーブルへの干渉が有利に回避され得るのであり、特に本態様を前記態様４と組み合わせて採用することにより、レンズテーブルを収容凹部に対して略完全に収容せしめた状態下でも、ノーズブロックを筐体の前壁面に近接して沿うようにして下方に垂下させて退避位置せしめることが可能となる。
【発明の効果】
【００４０】
上述の説明から明らかなように、本発明に従う構造とされたレンズメーターにおいては、レンズテーブルの下方に配設されたスライドアームでノーズブロックが支持されて、ＰＤ値の測定に際してノーズブロックが突出位置から立上方向に回動可能とされており、眼鏡をノーズブロックの下側から入り込ませて係合させるようになっていることから、ノーズブロックをノーズピースを越えて左右に移動させる場合にも、眼鏡をそれ程大きく持ち上げなくてもノーズブロックがノーズピースの上方に大きく退避されてノーズピースへの干渉が有利に回避され得るのであり、ノーズピースの上方に配設された他部材に対する眼鏡レンズの干渉に起因する損傷が効果的に防止され得る。
【００４１】
また、本発明に従う構造とされたレンズメーターにおいては、ノーズブロックを使用しない場合に、ノーズブロックがレンズテーブルの前面を下方に外れて、ノーズピースよりも下方の領域に退避位置せしめられることから、例えばレンズ度数等の測定に際して、レンズテーブルの前面や、レンズテーブルおよびノーズピースより上方に位置する作業空間を、ノーズブロックで邪魔されることなく自由に大きく使用することが可能となって、測定作業が容易となると共に、ノーズブロックへの手指等の打ち当たりに起因する損傷も効果的に防止され得るのである。
【発明を実施するための最良の形態】
【００４２】
以下、本発明を更に具体的に明らかにするために、本発明の実施形態について、図面を参照しつつ、詳細に説明する。
【００４３】
先ず、図１には、本発明の一実施形態であるレンズメーター１０の全体概略が示されている。このレンズメーター１０は、略竪形ボックス状の筐体１２を備えている。この筐体１２の前面側は、下部に比して上部が前方に突き出しており、庇状に突き出したこの上部１４によって下部前面には全体的に大きく凹んだ測定用スペース１６が形成されている。また、突出せしめられた上部１４の突出前面には、測定状態や測定結果を表示する液晶表示画面１８が設けられていると共に、液晶表示画面１８の下方には、各種の操作ボタン２０が配設されている。
【００４４】
また、上述の測定用スペース１６には、幅方向中央部分において上下方向に離隔して対向位置する光路用凸部２２，２４が前方に突出形成されている。そして、下側の光路用突部２４の突出上面には、略円筒形状で上方に向かって突出するノーズピース２６が突設されている。本実施形態では、筐体１２の内部に収容された発光源から導かれた測定光束が、上側の光路用凸部２２内から鉛直下方に向かって投射されて、測定用スペース１６を通って、ノーズピース２６の先端面に開口する入射窓から筐体１２内に入射され、筐体１２内に収容配置された受光素子によってかかる測定用光束が受光されるようになっている。即ち、ノーズピース２６上に測定用光束によるレンズ度数等の測定ポイントが形成されているのである。
【００４５】
更にまた、上側の光路用凸部２２には、ノーズピース２６に向かって下方に突出するレンズ押え２８が鉛直上下方向に移動可能に装着されており、印点レバー３０の回転及び上下操作に基づいて、かかる印点レバー３０を含む印点部が上下方向に駆動可能とされている。また、レンズ押え２８には、下方に向かって突出する複数本（本実施形態では３本）のレンズ押えピン３２が固定されている。そして、レンズ押え２８を下方に変位させることにより、複数本の押えピン３２が下方に向かって一体的に降下変位せしめられるようになっている。
【００４６】
これにより、本実施形態では、ノーズピース２６上に眼鏡レンズを載置せしめて、そのレンズ度数等の光学特性の測定点をノーズピース２６上に位置決めした状態下で、レンズ押え２８を下方に変位せしめることにより、ノーズピース２６上に載置された被検レンズを複数本のレンズ押えピン３２でノーズピース２６上に押し付けて位置固定に保持せしめ得るようにされている。
【００４７】
さらに、筐体１２において測定用スペース１６を形成する下部前面には、レンズテーブル３４が配設されている。このレンズテーブル３４は、筐体１２において水平となる幅方向の略全長に亘って延びる長手ブロック状を有しており、前面が略鉛直で平坦な案内面３６とされている。そして、かかるレンズテーブル３４は、ノーズピース２６よりも奥方（筐体１２側）に位置せしめられており、測定用光束の後方に控え位置せしめられている。また、かかる状態下で、印点レバー３０を含む印点部を下方に駆動変位させることにより、図示しない内蔵の印点手段によって被検レンズの所定位置に印点を記すことが出来るようになっている。
【００４８】
また、図２に示されているように、レンズテーブル３４には、その背後から奥方に突出して筐体１２内に延びる駆動ロッド３８が複数本設けられている。そして、図面上には明示されていないが、筐体１２内に設置されたラック・ピニオン機構や歯車機構等により、筐体１２の側面に突設された調節レバー４０の回動操作力が、これらの駆動ロッド３８を介して、レンズテーブル３４に及ぼすことにより、レンズテーブル３４を、全体として筐体１２の前後方向に駆動変位させて、案内面３６を鉛直に保ちつつノーズピース２６に対して接近／離隔方向で位置調節することが出来るようになっている。
【００４９】
更にまた、筐体１２の前面には、高さ方向の中間部分を水平方向に延びる溝状の収容凹部４２が形成されている。この収容凹部４２は、ノーズピース２６の奥方に位置しており、収容凹部４２の底面から、レンズテーブル３４の駆動ロッド３８が突出せしめられている。そして、レンズテーブル３４を最奥方に位置せしめることにより、レンズテーブル３４が収容凹部４２に入り込んで殆ど突出しない状態で収容位置せしめられるようになっている。即ち、測定用スペース１６を形成する筐体１２の下部前面は、収容凹部４２を挟んで上部前面４４と下部前面４６に分離されており、これら上下前面４４，４６が略鉛直に広がる同一面とされていると共に、レンズテーブル３４の案内面３６も、その収容状態下では、上下前面４４，４６と略面一となるようにされているのである。
【００５０】
さらに、レンズテーブル３４には、その案内面３６上に突出し得る状態で、ノーズブロック４８が組み付けられている。このノーズブロック４８は、全体として略矩形のプレート形状を有しており、下端縁部において、水平方向に延びる回動軸回りに回動可能に支持されていると共に、レンズテーブル３４に沿って左右方向に変位可能とされている。
【００５１】
詳細には、図３に詳細が示されているように、レンズテーブル３４には、その奥方から下方を回り込んで案内面３６よりも下方で且つ前方に僅かに突出した位置まで延び出すスライドアーム５０が設けられている。このスライドアーム５０が、レンズテーブル３４の内部において長手方向に配設されたガイドレール５２で案内支持されることにより、水平方向に自由にスライド変位可能とされている。また、ガイドレール５２上でのスライドアーム５０の位置がエンコーダ等の位置センサで検出されるようになっており、スライドアーム５０の移動距離も計測可能とされている。
【００５２】
このことから、本実施形態では、かかる位置センサとその検出信号の演算手段（図示せず）によって、スライドアーム５０のレンズテーブル３４上での移動距離を測定するための測定手段が構成されている。なお、スライドアーム５０の左右方向における移動距離の測定手段は、エンコーダ等に限定されるものでなく、例えば、レンズテーブル３４上で左右方向に目盛を固定表示すると共に、スライドアーム５０に目印を設けて、この目印がレンズテーブル３４上の目盛と合致する位置を目視することにより、検者が自身で測定するものさし構造によって、かかる測定手段を構成することも可能である。或いは、かかるスライドアーム５０の移動距離の測定手段として、例えば特許文献１（特開平８−２７１３７８号公報）や特許文献３（特許第３４３４９４１号公報）に記載されているように、左右方向に配設した直線抵抗体上でのスライドアーム５０の位置を電気抵抗値に基づいて検出するようにした電気的な距離検出器を利用することもできる。
【００５３】
また、スライドアーム５０の前端縁部には、レンズテーブル３４の案内面３６よりも下方で且つ前方に僅かに突出した位置において水平方向に延びる第一の回動軸５４が設けられており、この第一の回動軸５４回りで回動可能な状態で、回動アーム５６が、スライドアーム５０に対して連結支持されている。
【００５４】
かかる回動アーム５６は、数mm〜１５mm程度の比較的に短い突出長さを有しており、図４に示されているように、第一の回動軸５４から前方〜上方に向かって突出して、略９０度かそれを少し越える程度の角度範囲内で首振り状に回動可能とされている。特に、本実施形態では、図３に示されているように略上方に向かって立ち上がる上向位置と、図４に示されているように前方より僅かに下方に向かって傾斜して突出する下向位置との両位置に跨がって回動可能とされている。しかも、回動アーム５６の第一の回動軸５４回りの回動に際しては、回動アーム５６と第一の回動軸５４またはスライドアーム５０との間における摺接抵抗（摩擦抵抗）が発揮されて、回動アーム５６が上向位置や下向位置において回動位置が安定して固定的に設定されるようになっている。なお、回動アーム５６の上向位置への保持は、そのような摺接抵抗による他、例えば、相対的に回動変位せしめられる回動アーム５６とスライドアーム５０の摺接面間において、それらの一方に凹部を設けると共に他方に凸部を設けて、凹部に対する凸部の嵌まり込みによる節度機構により、回動アーム５６が適当な回動位置、例えば上向位置と下向位置の二つの回動位置に対して、それぞれ節度感をもって保持され得るような構成などを採用することも可能である。
【００５５】
なお、かかる節度機構に代えて、例えば、スライドアーム５０と回動アーム５６の間に、板ばね等の付勢手段を装着せしめて、回動アームが回動方向の中間に位置せしめられた場合には、上向位置と下向位置の何れかに付勢されて導かれ、それらの何れかの位置に弾性的に保持されるようにしても良い。或いはまた、回動アーム５６を上向位置に保持せしめるだけの凹凸等の節度機構を設けて、下向位置への保持は、重力を利用して行うようになっていても良い。何れにしても、回動アーム５６は、上述の上向位置と下向位置において、それぞれ、位置決め保持されるようになっている。
【００５６】
さらに、この回動アーム５６の突出先端部分には、第一の回動軸と平行に延びる第二の回動軸５８が設けられており、この第二の回動軸５８回りで回動可能な状態で、ノーズブロック４８が、回動アーム５６に対して連結支持されている。かかるノーズブロック４８は、略平板形状を呈しており、５〜２０mm程度の幅寸法と１０〜３５mm程度の長さ寸法とされて、僅かに突出方向に向かって拡幅すると共に、その前面側の両側縁部には面取形状のテーパが付されており、後述するように、下方からあてがわれる眼鏡の鼻当てに対して安定して係合し得るようになっている。そして、このノーズブロック４８は、図３に示されているように、第二の回動軸５８から更に外方に突出せしめられており、第二の回動軸５８が上向位置に保持された状態下で、かかるノーズブロック４８は、水平方向よりも僅かに斜め上方に向かって傾斜した前方への突出位置（図３中の実線図示位置）と、略鉛直上方に向かって立ち上がる立上位置（図３中の仮想線図示位置）との間に亘る角度範囲内で首振り状に回動可能とされている。
【００５７】
特に、本実施形態では、第二の回動軸５８に付勢手段としてのコイル状のトーションスプリング６０が外挿されており、このトーションスプリング６０の各一方の端部が回動アーム５６とノーズブロック４８に係止されることにより、ノーズブロック４８には、回動アーム５６に対して、常時、図３中の左回りの付勢力が及ぼされている。そして、この付勢力によって、回動アーム５６が上向位置に保持せしめられた状態下で、ノーズブロック４８が突出位置に弾性的に保持されるようになっていると共に、かかる状態下でノーズブロック４８を上方に持ち上げることにより、ノーズブロック４８が、常に下方への回動付勢力を付与された状態で、第二の回動軸５８回りで任意の回動位置に回動変位せしめられるようになっている。これにより、後述するように、下方からあてがわれる眼鏡の鼻当てに対する係合状態が安定して保持され得ると共に、眼鏡を上方に持ち上げることによって、その鼻当てに係合されたノーズブロック４８が任意の角度だけ、第二の回動軸５８回りに回動せしめられて上方に持ち上げられるようになっている。
【００５８】
なお、ノーズブロック４８を、第二の回動軸５８回りで下方に向かって付勢する付勢手段は、必ずしも設ける必要がなく、例えば重力を利用して、ノーズブロック４８が突出位置に付勢されて導かれるように構成しても良い。
【００５９】
また、回動アーム５６が上向位置に保持せしめられた状態下で突出位置に保持せしめられたノーズブロック４８は、回動アーム５６が下向位置に回動位置せしめられた場合に、図４〜６に示されている如く、略鉛直下方に向かって垂れ下がる垂下位置に導かれるように、回動アーム５６およびノーズブロック４８における第一及び第二の回動軸５４，５８回りの回動位置が設定されている。
【００６０】
さらに、レンズテーブル３４には、長手方向中央を外れた位置において、奥方から上方を回り込んで案内面３６の上側から前方に僅かに突出する位置まで延び出すカギ形のロックストッパ６１が固設されている。そして、図３に仮想線で示されていると共に、図７にも示されているように、回動アーム５６を上向位置としてノーズブロック４８を立上位置まで回動させることにより、ノーズブロック４８の上端角部をロックストッパ６１に係止させて、該ノーズブロック４８をトーションスプリング６０による付勢力に抗して立上位置に保持せしめることが出来るようになっている。即ち、このようにしてノーズブロック４８を、レンズテーブル３４の案内面３６に近接して沿わせて立ち上がる状態で位置決め保持せしめることにより、例えば、レンズメーター１０の搬送時などにおいて、ノーズブロック４８の損傷を防止することが出来るのである。
【００６１】
特に、本実施形態では、第一及び第二の回動軸５４，５８がレンズテーブル３４の案内面３６より前方に位置せしめられていることから、上述の如く垂下位置に保持されたノーズブロック４８がレンズテーブル３４の案内面３６よりも前方に位置せしめられるようになっている。これにより、図４〜６に示されているように、垂下位置に保持されたノーズブロック４８が邪魔をすることなく、レンズテーブル３４の全体を収容凹部４２に収容せしめることが可能となっている。また、そのようなレンズテーブル３４の収容状態下では、垂下位置に保持されたノーズブロック４８が、筐体１２における収容凹部４２の開口下縁部から筐体１２の前壁面に近接して沿うように位置せしめられるようになっている。
【００６２】
また、ノーズブロック４８は、眼鏡のＰＤ値（光軸間距離）の測定に用いられるものであることから、使用しない状況では、レンズテーブル３４の案内面３６を下方に外れて、垂下位置に保持され得るようになっている。即ち、垂下位置のノーズブロック４８は、ノーズピース２６より上方に形成された測定用光束の領域から下方に外れて、且つレンズテーブル３４の案内面３６からも完全に外れて退避位置せしめられるようになっている。しかも、かかる退避位置では、レンズテーブル３４の案内面３６からの前方への突出量が、十分に小さくなるように、レンズテーブル３４の略下方に垂下するように位置せしめられている。
【００６３】
而して、このような構造とされたレンズメーター１０を用いることにより、眼鏡フレームに組み付けられた左右眼鏡レンズのレンズ度数等の光学特性やＰＤ値を、容易に且つ有利に測定することが出来るのである。
【００６４】
具体的には、例えばＰＤ値を測定するに際しては、先ず、図８に示されているように、調節レバー４０を操作してレンズテーブル３４を適当量だけ突出せしめた状態下で、かかるレンズテーブル３４の案内面３６に対して、眼鏡６２の左右枠下端の外周面を当てることで、眼鏡６２の全体を安定位置決めする。その際、眼鏡６２に設けられた左右一対の鼻当て或いはその付近をノーズブロック４８の下側に入り込ませて、ノーズブロック４８を下方から押し上げるようにして、ノーズブロック４８を左右一対の鼻当てで左右から挟んだ状態で、該ノーズブロック４８を眼鏡６２に対して左右方向に相対的に位置決めする。      
【００６５】
そして、かかる状態下で必要に応じて調節レバー４０を操作してレンズテーブル３４を前後方向に突出／引込変位せしめると共に、眼鏡６２の全体をレンズテーブル３４の案内面３６に沿って左右方向に変位せしめることにより、右眼鏡レンズ６４をノーズピース２６上で変位させて、ノーズピース２６の開口部から投射される測定用光束の光軸が右眼鏡レンズ６４の測定の目標位置である光学中心に合致するように位置合わせする。なお、この光学的な位置合わせに際しては、例えば、液晶表示画面１８において、右眼鏡レンズ６４上での現在の測定ポイントと目標位置である光学中心が併せて表示されることにより操作を視覚的に補助せしめるようにすることが望ましい。そのような測定補助の作動は、例えば特開２０００−２６６６３９号公報等に記載された公知の技術であることから、ここでは詳細な説明を省略する。
【００６６】
そして、ノーズピース２６への載置状態で右眼鏡レンズ６４の光学中心に測定用光束の光軸を合致させたら、その状態下で、ノーズブロック４８の左右方向の位置を、前述のスライドアーム５０の位置を検出する位置センサによって検出して、記憶手段に記憶しておく。
【００６７】
続いて、図９に示されているように、レンズテーブル３４の位置をそのままにして、眼鏡６２の全体を左右方向に動かして、図１０に示されているように、左眼鏡レンズ６６をノーズピース２６上に位置せしめる。かかる操作は、眼鏡６２の全体を少し持ち上げて行うことにより、左右眼鏡レンズ６４，６６のノーズピース２６への擦れを回避するようにして行う。
【００６８】
また、この際、ノーズブロック４８は、眼鏡６２における左右一対の鼻当ての間に挟み込まれたまま、眼鏡６２と一体的に移動せしめられることとなる。なお、かかるノーズブロック４８は、眼鏡６２の鼻当てで上方に押し上げられていることに加えて、眼鏡６２がノーズピース２６より更に少し上に持ち上げられることから、その前方への突出位置から第二の回動軸５８回りで立ち上げ方向に所定量だけ回動せしめられることとなり、それによって、ノーズブロック４８は、ノーズピース２６を上方へ逃げるようにして干渉を回避せしめられて、ノーズピース２６を越えて左右方向に移動し得るようになっている。
【００６９】
その後、左眼鏡レンズ６６をノーズピース２６上に載置して、前述の右眼鏡レンズ６４の場合と同様に、その光学中心を測定用光束の光軸に合致させたら、その際のノーズブロック４８の左右方向の位置を、スライドアーム５０の位置を検出する位置センサによって検出して、記憶手段に記憶する。そして、右眼鏡レンズ６４の位置決め時に記憶されたノーズブロック４８の位置データと、左眼鏡レンズ６６の位置決め時に記憶されたノーズブロック４８の位置データから、左右の眼鏡レンズ６４，６６の光軸間距離（ＰＤ値）を演算手段で算出する。なお、求められたＰＤ値は、例えば、前述の液晶表示画面１８に表示される。
【００７０】
また一方、眼鏡６２の眼鏡レンズ６４，６６における球面レンズ度数や円柱レンズ度数，加入度数，円柱軸角度等の光学特性を測定するに際しては、前述のＰＤ値の測定と同様にレンズテーブル３４を利用して眼鏡６２に基準方向を与えた状態で、左右の何れかの眼鏡レンズ６４，６６をノーズピース２６上に載置せしめて、レンズテーブル３４の案内面３６に沿って眼鏡６２を左右に変位させて、測定位置を測定用光束の光軸に合わせた状態下で、測定光束を用いた光学的な測定機構によって測定が行われることとなる。なお、このような測定光学系は、例えば特開２０００−２６６６３９号公報等に開示された周知のものが任意に採用され得るものであることから、ここでは詳細な説明を省略する。
【００７１】
このような光学特性の測定において、前述のＰＤ値の測定と異なるところは、ノーズブロック４８の使用が必ずしも必要ないことである。従って、光学特性の測定に際しては、図５に示されているように、ノーズブロック４８を下方に押し下げてレンズテーブル３４の下方に位置せしめられた第一の回動軸５４よりも下方に垂下した状態となるまで回動させてかかる垂下位置に保持して、筐体１２の下部前面４６に沿うように位置せしめるようにされる。
【００７２】
これにより、ノーズブロック４８は、レンズテーブル３４の案内面３６から完全に外れた退避されると共に、測定用光束の光路が形成され且つ被検レンズである左右の眼鏡レンズ６４，６６が位置せしめられるノーズピース２６よりも上方の測定用領域から、完全に外れた位置に退避せしめられることとなる。それ故、かくの如く退避位置に保持されたノーズブロック４８は、測定のための操作や、特にノーズピース２６に対して上方から眼鏡６２を導いて載置すると共に、ノーズピース２６から上方に眼鏡６２を外して退去せしめる操作にも、悪影響を及ぼすことがなく、良好な作業性が確保され得るのである。加えて、ノーズブロック４８は、ノーズピース２６よりも下方に退避位置せしめられることから、ノーズピース２６上に載置される眼鏡レンズ６４，６６の位置を斜め上方から覗き込むように確認等する検者の視線が、ノーズブロック４８の存在によって遮られたり、邪魔になったりすることが全く無いのであり、操作の間隔も非常に優れたものとなるのである。
【００７３】
さらに、ＰＤ値の測定に際しても、ノーズブロック４８が下端縁部で回動可能に支持されており、その下方に眼鏡６２を入り込ませて係合させるようになっていることから、図９に示されているように、ノーズブロック４８をノーズピース２６を越えて左右に移動させる場合にも、眼鏡６２をそれ程大きく持ち上げなくても、眼鏡６２の上側に載置状態とされたノーズブロック４８が眼鏡６２よりも大きく、ノーズピース２６上に退避せしめられて、ノーズピース２６に対する干渉が回避され得ることとなる。従って、ノーズピース２６の上方に配設されて、レンズ度数等の測定に際して眼鏡レンズ６４，６６をノーズピース２６上に押し付け保持せしめるレンズ押えピン３２等に対して、眼鏡が干渉してしまうことが有利に回避され得ることとなり、ＰＤ値の測定に際しての眼鏡レンズ６４，６６の損傷、即ち眼鏡レンズ６４，６６の表面コーティング材の剥離等の問題が有利に防止され得るのである。
【００７４】
特に、本実施形態のノーズブロック４８は、突出方向先端側に行くに従って幅広となる形状とされていることから、眼鏡６２を持ち上げた際にノーズブロック４８の眼鏡６２に対する係合位置が、ノーズブロック４８の幅広の先端側に移動せしめられることに伴って、ノーズブロック４８が一層大きく上方に跳ね上げられるようにして、ノーズピース２６から退避変位せしめられるようになっている。
【００７５】
次に、図１１〜１３には、本発明の第二の実施形態としてのレンズメーターが示されている。なお、本実施形態では、前述の第一の実施形態としてのレンズメーター１０に比して、スライドアーム５０によるノーズブロック４８の支持構造についての別態様を例示するものであることから、ノーズブロック４８の支持構造に関する要部だけを拡大図示して説明すると共に、図中、第一の実施形態と同様な構造とされた部材及び部位については、第一の実施形態と同一の符号を付することにより、その詳細な説明を省略する。
【００７６】
本実施形態では、レンズテーブル３４の下方に配設された板状のスライドアーム５０の前方先端部が上方に向かって屈曲して立ち上がった竪板部７２とされており、この竪板部７２が、レンズテーブル３４の下方から案内面３６の前方に回り込んで位置せしめられている。また、竪板部７２の左右両側には、前方に向かって突出する一対の支持片７４，７４が一体形成されている。そして、これら左右一対の支持片７４，７４の間に跨がって円形ロッド状の直接支持軸７６が配設されており、かかる直接支持軸７６が、レンズテーブル３４の案内面３６の下部前方に位置して該案内面３６と平行に水平方向に延びるようにして支持せしめられている。
【００７７】
さらに、直接支持軸７６の軸方向両端部は、一対の支持片７４，７４から両外方に突出せしめられており、それら両側の突出先端部に対して、ノーズブロック４８の下端部が連結されて支持せしめられている。即ち、ノーズブロック４８の下端部には、左右両側から一対の脚部７８，７８が突出して一体形成されており、これら両脚部７８，７８が、スライドアーム５０に突設された一対の支持片７４，７４に対して各外側から重ね合わされていると共に、両脚部７８，７８に貫設された挿通孔８０，８０に対して直接支持軸７６が挿通されている。これにより、ノーズブロック４８は、直接支持軸７６の回りで回動可能に支持されている。なお、直接支持軸７６は、支持片７４，７４と脚部７８，７８の少なくとも一方に対して回動可能とされることによって、ノーズブロック４８の回動変位が許容されるようになっていれば良い。
【００７８】
また、各支持片７４は、竪板部７２から突出した先端部分が、直接支持軸７６の中心軸回りで周方向に延びる略半円形状の外周面とされており、この外周面によって円弧状の摩擦面８２が構成されている。ここにおいて、摩擦面８２の曲率半径が周方向で部分的に異ならされており、上側の略半周部分が小径の円弧外周面８２ａとされている一方、下側の略半周部分が大径の円弧外周面８２ｂとされている。なお、大径の円弧外周面８２ｂには、竪板部７２に近接する基端部において切欠状に小径とされた位置決め用凹部８４が形成されている。
【００７９】
一方、ノーズブロック４８の各脚部７８には、内側面に突出して支持片７４に向かって延びる摺接突部８６が一体形成されている。この摺接突部８６の先端部分は、半円状にまるめられて支持片７４の外周面（摩擦面）８２に対して、径方向外方から対向位置せしめられている。そして、ノーズブロック４８が直接支持軸７６回りで回動せしめられることにより、摺接突部８６の半円状の先端面８８が、支持片７４の摩擦面８２上を周方向に移動して摺接するようになっており、かかる摺接によって、ノーズブロック４８の直接支持軸７６の回りの回動に対する摩擦抵抗が発揮されるようになっている。なお、このことから明らかなように、本実施形態では、摺接突部８６の先端面８８によって摺接面が構成されている。
【００８０】
特に、本実施形態では、直接支持軸７６の中心軸からの径方向における摺接突部８６の先端面８８の離隔距離が、支持片７４における小径の円弧外周面８２ａの曲率半径と略同じか僅かに大きく設定されていると共に、支持片７４における大径の円弧外周面８２ｂの曲率半径よりも小さく設定されている。これにより、ノーズブロック４８が回動せしめられた際、その回動位置に応じて、摺接突部８６の先端面８８が、支持片７４の小径の円弧外周面８２ａには殆ど当接しないが、支持片７４の大径の円弧外周面８２ｂには当接したままの状態で摺動せしめられるようになっている。
【００８１】
この結果、ノーズブロック４８は、図１１及び図１２に実線で示された突出位置から上方に向かっては、摺接突部８６の先端面８８が支持片７４の小径の円弧外周面８２ａ上を移動することによって、小さな抵抗で容易に回動せしめられるようになっている。一方、かかる突出位置から図１１に仮想線で示されると共に図１３に実線で示された垂下位置までは、摺接突部８６の先端面８８が支持片７４の大径の円弧外周面８２ｂ上を当接しつつ移動することから、手指で下方への外力を加えることによってはじめて大きな抵抗下で回動せしめられるようになっているのである。なお、ノーズブロック４８を垂下位置まで回動させると、摺接突部８６の先端面８８が、支持片７４に形成された位置決め用凹部８４に嵌まり合うことにより、かかる垂下位置への位置決め保持が為されるようになっている。
【００８２】
従って、このようなノーズブロック４８の支持構造を備えた本実施形態のレンズメーターにおいても、前記実施形態と同様に、ノーズブロック４８を突出位置に配設せしめた状態下でＰＤ値の測定を有利に行うことが出来ると共に、かかる突出位置から下方に向けてノーズブロック４８を回動させることにより、かかるノーズブロック４８を下方に垂れ下がった退避位置にまで速やかに導いて保持せしめることが出来るのであり、前述の第一の実施形態と同様な効果が、何れも有効に発揮され得ることとなるのである。
【００８３】
なお、本実施形態においても、第一の実施形態と同様に、図１１中に３点鎖線で示されている如く、ノーズブロック４８を突出位置から上方に回動させてレンズテーブル３４の案内面３６に沿うように立ち上げた立上位置において、かかるノーズブロック４８の先端部をロックストッパ６１に係止させて保持せしめることができるようになっている。
【００８４】
また、図示はされていないが、ノーズブロック４８を立上位置から突出位置に向けて付勢するコイルスプリング等の付勢手段を組み付けることも可能である。更にまた、ノーズブロック４８の回動中心軸である直接支持軸７６は、レンズテーブル３４の案内面３６上を下方に外れた位置に設けるようにしても良い。また、本実施形態とは反対に、直接支持軸７６の中心軸回りに広がる円弧状の摩擦面をノーズブロック４８側に形成する一方、該摩擦面に対して摺接する摺接面をスライドアーム５０側に形成することも可能である。
【００８５】
以上、本発明の実施形態について詳述してきたが、これらはあくまでも例示であって、本発明はかかる実施形態における具体的な記載によって、何等、限定的に解釈されるものでなく、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることが、理解されるべきである。
【００８６】
例えば、スライドアーム５０や回動アーム５６，ノーズブロック４８の具体的形状や大きさは、何等限定されるものでなく、適用対象となる眼鏡の形状や構造，大きさ等を考慮して適宜に設定されるものである。
【００８７】
また、ノーズブロック４８をレンズテーブル３４の案内面３６上に重ね併せた状態で係止して保持せしめるロックストッパ６１による係止機構や、レンズテーブル３４を収容せしめる収容凹部４２による収容構造などは、本発明において必ずしも必要でない。
【００８８】
さらに、前記実施形態では、眼鏡の右レンズ６４から始めて次に左レンズ６６をノーズピース２６上に載置する操作手順を説明したが、左右レンズの順序は何れでも良い。
【００８９】
また、前述の説明から明らかなように、前述の第一の実施形態では回動アーム５６やノーズブロック４８の第一及び第二の回動軸５４，５８回りの回動が、また第二の実施形態ではノーズブロック４８の直接支持軸７６回りの回動が、何れも、レンズテーブル３４上におけるスライドアーム５０の位置如何に拘わらずに可能とされており、それによって、左右方向の任意の位置で、ノーズブロック４８を垂下位置まで回動させて保持せしめることが出来るようになっていたが、ノーズブロック４８を垂下位置にまで回動せしめることの出来る位置を、レンズテーブル３４上で限定的に設定しても良い。
【００９０】
さらに、レンズテーブル３４が、その収容凹部４２への収容状態下で多少前方に突出せしめられる構造である場合や、レンズテーブル３４の収容凹部４２への収容状態下ではノーズブロック４８を垂下位置に導くことがない場合などにおいては、第一の実施形態における第一の回動軸５４や第二の実施形態における直接支持軸７６を、レンズテーブル３４の案内面３６よりも奥方に設定位置せしめるようにしても良い。このように、第一の回動軸や直接支持軸を、レンズテーブル３４の案内面３６よりも奥方に設定位置させることにより、ノーズブロック４８が、その垂下位置において、レンズテーブル３４の下方に隠れるようにして退避位置せしめられるようにすることも可能となる。
【図面の簡単な説明】
【００９１】
【図１】本発明の一実施形態としてのレンズメーターの全体概略構造を示す斜視図である。
【図２】図１における左側面図である。
【図３】図１に示されたレンズメーターにおけるノーズブロックの支持構造などの要部を拡大して示す右側面説明図である。
【図４】図３に示されたノーズブロックの退避状態を説明するための側面図である。
【図５】図１に示されたレンズメーターにおけるノーズブロックの退避状態を示す斜視図である。
【図６】図５における左側面図である。
【図７】図１に示されたレンズメーターにおけるノーズブロックの係止状態を示す斜視図である。
【図８】図１に示されたレンズメーターによるＰＤ値の測定方法を説明するための斜視図である。
【図９】ＰＤ値測定の測定に際しての図８に続く作業状態を示す斜視図である。
【図１０】ＰＤ値測定の測定に際しての図９に続く作業状態を示す斜視図である。
【図１１】本発明の第二の実施形態としてのレンズメーターにおけるノーズブロックの支持部分を示す側面斜視図である。
【図１２】図１１に示されたノーズブロックの支持部分の斜視説明図である。
【図１３】図１１に示されたノーズブロックの支持部分の図１２とは別の状態を示す斜視説明図である。
【符号の説明】
【００９２】
１０  レンズメーター
１２  筐体
１６  測定用スペース
１８  液晶表示画面
２６  ノーズピース
３２  レンズ押えピン
３４  レンズテーブル
３６  案内面
４０  調節レバー
４２  収容凹部
４６  下部前面
４８  ノーズブロック
５０  スライドアーム
５２  ガイドレール
５４  第一の回動軸
５６  回動アーム
５８  第二の回動軸
６０  トーションスプリング
６１  ロックストッパー
６２  眼鏡
６４  右眼鏡レンズ
６６  左眼鏡レンズ
７２  竪板部
７６  直接支持軸
７８  脚部
８２  摩擦面
８２ａ  小径の円弧外周面
８２ｂ  大径の円弧外周面
８４  位置決め用凹部
８６  摺接突部
８８  先端面
【要約】
【課題】  ＰＤ値の測定に用いられるノーズブロックを、不使用時にはレンズ度数等の測定作業の邪魔にならないように退避位置させることが出来ると共に、ＰＤ値の測定に際しては眼鏡を上方に大きく持ち上げなくてもノーズピースを越えて左右に移動させることが出来る、新規な構造のレンズメーターを提供すること。
【解決手段】  レンズテーブル３４に対して左右方向にスライド可能とされたスライドアーム５０に対して、ノーズブロック４８を下端縁部で回動可能に連結支持せしめて、ノーズブロック４８の下側から眼鏡６２を入り込ませて係合させることが出来るようにすると共に、レンズ度数等の測定に際しては、ノーズブロック４８がレンズテーブル３４の下方において垂下状態で退避せしめられるようにした。
【選択図】  図１
【図１】
0003576545.tif 000002
【図２】
0003576545.tif 000003
【図３】
0003576545.tif 000004
【図４】
0003576545.tif 000005
【図５】
0003576545.tif 000006
【図６】
0003576545.tif 000007
【図７】
0003576545.tif 000008
【図８】
0003576545.tif 000009
【図９】
0003576545.tif 000010
【図１０】
0003576545.tif 000011
【図１１】
0003576545.tif 000012
【図１２】
0003576545.tif 000013
【図１３】
0003576545.tif 000014